(57)【特許請求の範囲】
【請求項１】
画像キャプチャ機能を有するインテリジェント通信装置と併せて使用し、且つ前記インテリジェント通信装置の画像キャプチャモジュールを利用して試験サンプルの画像を撮影する携帯型顕微鏡装置であって、
光源モジュールを有する本体と、
前記本体に移動可能に取り付けられるカバーと、
顕微鏡レンズを有し、前記カバーに取り付けることで、前記インテリジェント通信装置の前記画像キャプチャモジュールに前記顕微鏡レンズを介して前記試験サンプルの画像を取得させる顕微鏡モジュールとを備えることを特徴とする携帯型顕微鏡装置。
【請求項２】
前記本体には磁性部が設けられ、前記顕微鏡モジュールには前記磁性部に吸着される相対磁性部が設けられ、前記顕微鏡モジュールと前記カバーを分離することなく相対的に移動可能とすることを特徴とする請求項１に記載の携帯型顕微鏡装置。
【請求項３】
前記本体の上面にはリミット溝が形成され、前記リミット溝内にはスライドガラスが置かれることを特徴とする請求項１に記載の携帯型顕微鏡装置。
【請求項４】
前記カバーの一方の面にスライドガラスが取り付けられることを特徴とする請求項１に記載の携帯型顕微鏡装置。
【請求項５】
前記カバーは光透過性材料からなることを特徴とする請求項１に記載の携帯型顕微鏡装置。
【請求項６】
前記本体の頂部には検出部を有することを特徴とする請求項１に記載の携帯型顕微鏡装置。
【請求項７】
前記本体の底部には電源モジュール及び光源モジュールが取り付けられ、前記光源モジュールは前記検出部に対応するよう配置され、前記電源モジュールと前記光源モジュールは電気的に接続され、前記本体にはスイッチモジュールが取り付けられ、前記スイッチモジュールは、前記光源モジュールを駆動させるように前記電源モジュールを制御することを特徴とする請求項６に記載の携帯型顕微鏡装置。
【請求項８】
前記スイッチモジュールは、前記スライドガラスによって押された後に起動し、前記光源モジュールを駆動して作動させることを特徴とする請求項７に記載の携帯型顕微鏡装置。
【請求項９】
前記スイッチモジュールは、前記カバーによって押された後に起動し、前記光源モジュールを駆動して作動させることを特徴とする請求項７に記載の携帯型顕微鏡装置。
【請求項１０】
前記光源モジュールは非可視光光源、または紫外光源を有することを特徴とする請求項７に記載の携帯型顕微鏡装置。
【請求項１１】
前記顕微鏡レンズの周縁にはネジ部が形成され、前記ネジ部は前記画像キャプチャモジュールの相対ネジ部に相対的に螺合することを特徴とする請求項１に記載の携帯型顕微鏡装置。
【請求項１２】
前記本体には固定クランプが取り付けられ、前記固定クランプは前記インテリジェント通信装置を保持するために用いられることを特徴とする請求項１に記載の携帯型顕微鏡装置。
【請求項１３】
前記顕微鏡モジュールは第１偏光フィルム及び第２偏光フィルムを有し、前記第１偏光フィルムは前記本体と前記試験サンプルとの間に設置され、前記第２偏光フィルムは試験サンプルと前記画像キャプチャモジュールとの間に設置されることを特徴とする請求項１に記載の携帯型顕微鏡装置。
【発明の詳細な説明】
【技術分野】
【０００１】
本発明は、携帯型顕微鏡装置に関し、特に、インテリジェント通信装置と併せて使用する携帯型顕微鏡装置に関する。
【背景技術】
【０００２】
通常、従来の顕微鏡は、主に、微生物、細胞、またはいくつかの物質の微細構造を観察するために用いられ、通常の顕微鏡は光学顕微鏡を指す。光学顕微鏡は、主に、レンズを利用して観察対象の画像を拡大すると同時に、この画像を目、または結像装置に送り、その解析度は約１μｍであり、且つ細胞の大きさを観察することができる。光学顕微鏡は、設計の違いに応じて、正立顕微鏡、倒立顕微鏡及び立体顕微鏡に分けることができ、上記の従来の顕微鏡の体積は、比較的に大きく、操作者は通常、特定の技術分野の人（生物、化学分野及び関連分野の研究者）である。顕微鏡を更に使用しやすくするために、従来の顕微鏡を小型化し、さらには一部の小型顕微鏡をカメラ付き携帯電話と併せて使用できるように改良した発明がある。米国特許公開第20120157160号の「Compact wide-field fluorescent imaging on a mobile device」（以下、米国出願と称する）を参照されたい。この米国出願は、主に、移動装置のための結像装置を開示しており、結像装置は、主に、蛍光結像装置を有し、この蛍光結像装置はレンズを有し、且つその底部にクランプ部材を有する。上記クランプ部材は移動装置（例えば、携帯電話、タブレットなど）を保持し、試験サンプルを蛍光結像装置の収容空間内に配置することで、操作者は移動装置の結像レンズで試験サンプルを観察することができる。よって、この米国出願は、従来の顕微鏡を小型化できるだけでなく、更に移動装置の普及率を利用して小型化された顕微鏡を移動装置と併せて使用することで、顕微鏡を更に使用し易くすることができる。また、下記の特許文献を参照することもできる。
【先行技術文献】
【特許文献】
【０００３】
【特許文献１】台湾特許第I362556号「実物撮影機の顕微鏡結合装置」
【特許文献２】台湾特許第M357612号「多機能顕微鏡装置」
【特許文献３】台湾特許第M444520号「携帯型高倍率顕微鏡の拡大レンズ」
【特許文献４】中国特許出願第201220163127.1号「スマートフォンに基づいたハンドヘルドデジタル顕微鏡」
【特許文献５】中国特許出願第201320060713.8号「外付け携帯電話を備えた光学デバイス」
【特許文献６】中国特許出願第201320295925.4号「スマートフォンを顕微鏡、または望遠鏡に固定することで、デジタル撮影を実現する装置」
【特許文献７】中国特許出願第200920005757.4号「多機能顕微鏡装置」
【特許文献８】米国特許出願第8184366号「Multi-function microscope device」
【０００４】
上記のこれらの先願からわかるように、従来の小型顕微鏡は、装置全体の構造を効果的に縮小することで、小型化する目的を実現できると同時に、インテリジェント通信装置（例えば、携帯電話）の結像レンズで試験サンプルを観察することができるが、インテリジェント通信装置が使用状態にあった場合、小型顕微鏡とインテリジェント通信装置は、通常、固定状態に維持されている。仮に、試験サンプルの置き位置が好ましくない場合、小型顕微鏡のレンズは最良の観察位置で観察することができないため、操作者は再度試験サンプルを置き直さなければならない。このような面倒な手順は操作者に極めて大きな不便をもたらしてしまう。また、従来の小型顕微鏡のレンズ拡大倍率は固定値であり、操作者はニーズに応じて任意にレンズを変えることができず、仮に、レンズを変えることができても、現在の装置では焦点距離を最適な状態に維持することができない。よって、通常では画像劣化などの問題が生じてしまう。
【発明の概要】
【発明が解決しようとする課題】
【０００５】
上記の問題に鑑み、本願発明の発明者は、長年に渡って関連業界及び製品デザインに従事してきた経験に基づき、現在の小型顕微鏡の構造に対して、研究及び分析を行うことで、より好ましい小型顕微鏡を設計した。したがって、本発明の主な目的は、インテリジェント通信装置と併せて使用し、ニーズに応じて任意に顕微鏡レンズを変えることができると同時に、使用中にニーズに応じて観察しようとするサンプルの位置を調整できる携帯型顕微鏡装置を提供することにある。
【課題を解決するための手段】
【０００６】
上記目的を達成するために、本発明の携帯型顕微鏡装置は、主に、本体、カバー及び顕微鏡モジュールから構成される。顕微鏡モジュールは、画像キャプチャ機能を有するインテリジェント通信装置に取り付けられる。試験サンプルを予めスライドガラスに設置すると同時に、カバーガラスを覆い、且つスライドガラスを本体に担持することで、操作者はインテリジェント通信装置でこのサンプルの実体画像を撮影することができる。本発明の操作過程において、操作者はニーズに応じて顕微鏡モジュールの顕微鏡レンズを変えることができると同時に、相応のカバーに合わせて使用することで、顕微鏡モジュールの焦点距離を最適化状態に維持することができる。また、顕微鏡モジュールはカバー上において移動することができ、操作者が試験サンプルの位置を移動した後に、インテリジェント通信装置は最適な撮影画像を取得することができる。
【０００７】
より具体的には、本発明に係る携帯型顕微鏡装置は、画像キャプチャ機能を有するインテリジェント通信装置と併せて使用し、且つ前記インテリジェント通信装置の画像キャプチャモジュールを利用して試験サンプルの画像を撮影する携帯型顕微鏡装置であって、光源モジュールを有する本体と、前記本体に移動可能に取り付けられるカバーと、顕微鏡レンズを有し、前記カバーに取り付けることで、前記インテリジェント通信装置の前記画像キャプチャモジュールに前記顕微鏡レンズを介して前記試験サンプルの画像を取得させる顕微鏡モジュールと、を備えることを特徴とする。
【０００８】
望ましい実施例において、前記本体には磁性部が設けられ、前記顕微鏡モジュールには前記磁性部に吸着される相対磁性部が設けられ、前記顕微鏡モジュールと前記カバーを分離することなく相対的に移動可能とすることを特徴とする。
【０００９】
望ましい実施例において、前記本体の上面にはリミット溝が形成され、前記リミット溝内にはスライドガラスが置かれることを特徴とする。
【００１０】
望ましい実施例において、前記カバーの一方の面にスライドガラスが取り付けられることを特徴とする。
【００１１】
望ましい実施例において、前記カバーは光透過性材料からなることを特徴とする。
【００１２】
望ましい実施例において、前記本体の頂部には検出部を有することを特徴とする。
【００１３】
望ましい実施例において、前記本体の底部には電源モジュール及び光源モジュールが取り付けられ、前記光源モジュールは前記検出部に対応するよう配置され、前記電源モジュールと前記光源モジュールは電気的に接続され、前記本体にはスイッチモジュールが取り付けられ、前記スイッチモジュールは、前記光源モジュールを駆動させるように前記電源モジュールを制御することを特徴とする。
【００１４】
望ましい実施例において、前記スイッチモジュールは、前記スライドガラスによって押された後に起動し、前記光源モジュールを駆動して作動させることを特徴とする。
【００１５】
望ましい実施例において、前記スイッチモジュールは、前記カバーによって押された後に起動し、前記光源モジュールを駆動して作動させることを特徴とする。
【００１６】
望ましい実施例において、前記光源モジュールは非可視光光源、または紫外光源を有することを特徴とする。
【００１７】
望ましい実施例において、前記顕微鏡レンズの周縁にはネジ部が形成され、前記ネジ部は前記画像キャプチャモジュールの相対ネジ部に相対的に螺合することを特徴とする。
【００１８】
望ましい実施例において、前記本体には固定クランプが取り付けられ、前記固定クランプは前記インテリジェント通信装置を保持するために用いられることを特徴とする。
【００１９】
望ましい実施例において、前記顕微鏡モジュールは第１偏光フィルム及び第２偏光フィルムを有し、前記第１偏光フィルムは前記本体と前記試験サンプルとの間に設置され、前記第２偏光フィルムは試験サンプルと前記画像キャプチャモジュールとの間に設置されることを特徴とする。
【発明の効果】
【００２０】
上記より、本発明の携帯型顕微鏡装置はインテリジェント通信装置と併せて使用し、ニーズに応じて顕微鏡レンズを変えることができるだけでなく、使用中にニーズに応じて観察しようとするサンプルの位置を調整することができる。
【図面の簡単な説明】
【００２１】
【図１】本発明の携帯型顕微鏡装置の一実施例の外観図である。
【図２】本発明の図１に示した実施例の分解斜視図である。
【図３】本発明の図１に示した実施例における本体の構成断面図である。
【図４】本発明の図１に示した実施例の第１概略図である。
【図５】本発明の図１に示した実施例の第２概略図である。
【図６】本発明の図１に示した実施例の第３概略図である。
【図７】本発明の図１に示した実施例の第４概略図である。
【図８】本発明の図１に示した実施例の第５概略図である。
【図９】本発明のもう１つの実施例の概略図である。
【図１０】本発明の更にもう１つの実施例の概略図である。
【図１１】本発明の更にもう１つの実施例の概略図である。
【図１２】本発明の更にもう１つの実施例の概略図である。
【図１３】本発明の更にもう１つの実施例の概略図である。
【発明を実施するための形態】
【００２２】
本発明の目的、技術的特徴及び実施の効果を一層明確に理解できるようにするため、図面を参照しながら、本発明を以下の通りに説明する。なお、特定の図面で示したものと同一の構成要素については、他の図面では指示記号の記載を省略した場合がある。
【実施例】
【００２３】
図１を参照されたい。図１は本発明に係る携帯型顕微鏡装置の一実施例の外観図である。図１に示される携帯型顕微鏡装置１０は、画像キャプチャ機能を有するインテリジェント通信装置と併せて使用することで、試験サンプルの実体画像を撮影することができる。携帯型顕微鏡装置１０は、主に、本体１０１、カバー１０２及び顕微鏡モジュール１０３から構成される。本体１０１は上記の各部材を担持し、本体１０１の上面にはリミット溝１０１１が形成され、スライドガラス１０４をリミット溝１０１１内に置くことができるようになっている。また、本体１０１は光源モジュール１０５（図３を参照されたい）を有し、詳しく言うと、本体１０１内は中空状であるため、光源モジュール１０５及びその他の関連する回路を収容することができる。カバー１０２は、本体１０１に移動可能に取り付けられ（例えば、軸着、係合、磁気的接続）、顕微鏡モジュール１０３の焦点距離を最適化状態に維持するために用いられる。顕微鏡モジュール１０３は、特定の拡大倍率を有し、インテリジェント通信装置が試験サンプルを拡大して、その画像を結像させるようにサポートすることができる。
【００２４】
図２を参照されたい。図２は本発明に係る携帯型顕微鏡装置の図１に示した実施例の分解斜視図である。図１と図２を同時に参照されたい。図面に示すように、本体１０１の上部には検出部１０１２が形成され、リミット溝１０１１の両側はそれぞれ組立部１０１３を有し、この組立部１０１３は金属、または磁性素子から構成されるが、これに限定されず、組立部１０１３が磁力作用の影響を受けることができるものであれば良い。検出部１０１２の周縁には磁性部１０１４が取り付けられている。また、カバー１０２には中空部１０２１が形成され、その両側には本体１０１側へ向けてそれぞれ突出する相対組立部１０２２が形成されている。相対組立部１０２２の材料は金属、または磁石であり、この相対組立部１０２２は前記組立部１０１３と磁力作用によって互いに引きつけられる。例えば、組立部１０１３が磁石である場合、相対組立部１０２２は組立部１０１３に吸着される金属である。逆に、組立部１０１３が金属である場合、相対組立部１０２２は組立部１０１３を吸着する磁石である。或いはまた、組立部１０１３と相対組立部１０２２をいずれも磁石とし、二者の間のＮＳ磁極作用を利用して互いに吸着するようにする。
【００２５】
また、顕微鏡モジュール１０３全体は磁性材料からなり、顕微鏡モジュール１０３には顕微鏡レンズ１０３１が嵌め込まれており、且つ顕微鏡レンズ１０３１は前記カバー１０２に対して移動可能に設置されている。具体的に言えば、顕微鏡モジュール１０３の底部は相対磁性部１０３２を有する。組み立てをする時に、スライドガラス１０４をリミット溝１０１１内（図１に示す如く）に置くことで、スライドガラス１０４がリミット溝１０１１によって動きを制限されるようにしつつ、カバー１０２をその相対組立部１０２２によって本体１０１の組立部１０１３に吸着させ、カバー１０２が磁力作用によって本体１０１に固定されるようにすることで、カバー１０２の中空部１０２１を本体１０１の検出部１０１２に対応させることができる。次に、顕微鏡モジュール１０３の使用時、顕微鏡モジュール１０３をカバー１０２に設置し、この顕微鏡モジュール１０３の相対磁性部１０３２が本体１０１の磁性部１０１４に吸着された後、顕微鏡モジュール１０３とカバー１０２を互いに分離しない状態で両者を相対的に移動させることができ、顕微鏡レンズ１０３１をカバー１０２上に互いに移動可能に設置させることができる。
【００２６】
本実施例における携帯型顕微鏡装置１０をインテリジェント通信装置と併せて使用する時、インテリジェント通信装置の画像キャプチャモジュールは顕微鏡レンズ１０３１を介して、試験サンプルの画像を取得することができる。その実施例の詳細は後で詳しく説明する。
【００２７】
また、本実施例における本体１０１のリミット溝１０１１の両側にはそれぞれリミット部１０１５が形成され、カバー１０２が本体１０１に吸着された時、カバー１０２はリミット部１０１５にさらに嵌まり込み、カバー１０２はリミット部１０１５に制限されることによって、操作過程におけるカバー１０２の滑り偏移防止の効果を達することができる。
【００２８】
図３を参照されたい。図３は本発明の図１に示した実施例における本体の構成断面図である。図面に示すように、本体１０１の底部と検出部１０１２との間には環状壁１０１６が延伸して形成され、光源モジュール１０５は、本体１０１の底部に設置されると同時に、環状壁１０１６内に収容されることにより、光源モジュール１０５を軸方向において検出部１０１２に対応させて配置され、光源からの光を検出部１０１２から放出する。図面を再度参照されたい。光源モジュール１０５の上方には光拡散素子１０１７が取り付けられている。光拡散素子１０１７は例えば、光拡散フィルム、光拡散板などであり、光源モジュール１０５から照射しようとする光を検出部１０１２から均等に照射させることができる。
【００２９】
また、本実施例の携帯型顕微鏡装置１０は、スイッチモジュール１０６と電源モジュール１０７を更に備え、スイッチモジュール１０６は、本体１０１に取り付けられており、例えば、マイクロスイッチ、電子スイッチ、圧電スイッチ、光スイッチなどであるが、本発明はこれに限定されない。電源モジュール１０７は本体１０１内に収容され、電源モジュール１０７は電力を出力することで、光源モジュール１０５を駆動し、作動させる。電源モジュール１０７はそれぞれ光源モジュール１０５とスイッチモジュール１０６に電気的に接続され、且つスイッチモジュール１０６によって制御される。例えば、スイッチモジュール１０６が起動された後、電源モジュール１０７は、光源モジュール１０５を駆動して作動させることができる。
【００３０】
図４を参照されたい。図４は本発明の図１に示した実施例の第１概略図である。図面に示すように、本発明の携帯型顕微鏡装置を使用する時、操作者は予め、スライドガラス１０４をリミット溝１０１１内に置く。この時、スライドガラス１０４の重量は、スイッチモジュール１０６を起動させるにはまだ不十分であるため、スライドガラス１０４はスイッチモジュール１０６によって少々押し上げられている。スライドガラス１０４の設置を完了した後、操作者は試験サンプルＳをスライドガラス１０４上に置き、カバーガラス１０４１で更に覆い、且つスライドガラス１０４をスライドさせて試験サンプルＳを検出部１０１２の位置に対応させる。または、スライドガラス１０４を置く前に、予め試験サンプルＳとカバーガラス１０４１をスライドガラス１０４に置くこともできるが、本発明はこれに限定されない。
【００３１】
図５を参照されたい。図５は本発明の図１に示した実施例の第２概略図である。図４と図５を同時に参照されたい。図面に示すように、試験サンプルＳを設置した後、操作者がカバー１０２の前記相対組立部１０２２を本体１０１の前記組立部１０１３に対応させることによって、カバー１０２を、相対組立部１０２２と組立部１０１３（図４に示すように）の磁力吸着作用によって、本体１０１に吸着させることができる。更に図面を参照されたい。カバー１０２の固定が完了した時、カバー１０２の前記中空部１０２１は、ちょうどスライドガラス１０４に対応すると同時に、更に本体１０１の前記検出部１０１２の位置に対応する。また、カバー１０２が磁力作用によって、本体１０１に吸着する時、カバー１０２はスライドガラス１０４を更に押すことで、スライドガラス１０４をリミット溝１０１１に緊密に重なり合わせて、スライドガラス１０４にスイッチモジュール１０６を起動させ、これにより、電源モジュール１０７に光源モジュール１０５を駆動して作動させ、光源Ｌを発光させる。本実施例において、光源モジュール１０５は可視光光源である。
【００３２】
勿論、その他の実施例において、光源モジュール１０５は非可視光光源であることができ、例えば、赤外光源、紫外光源、またはラマン光源であるが、これらに限定されるものではない。光源モジュール１０５が紫外光源である場合、携帯型顕微鏡装置１０は更に蛍光検出の技術分野で、例えば、生物細胞サンプルのカウント検出に利用することができる。例を挙げると、試験サンプルは染料を含んだサンプルであり、光源モジュール１０５から供給される紫外光源が検出部１０１２から試験サンプルへ照射される時、染料は紫外光源の励起を受けて蛍光を生成することで、使用者はこれを観察することができる。勿論、光源モジュール１０５が紫外光源である場合、紫外光源バリアフィルム（ＵＶ ｃｕｔ ｆｉｌｍ）を顕微鏡モジュール１０３に対応して設置することで、使用者の目を保護することができる。
【００３３】
図６を参照されたい。図６は本発明の図１に示した実施例の第３概略図である。図５と図６を同時に参照されたい。図面に示したものはインテリジェント通信装置２０であり、操作者が試験サンプルＳを観察しようとする時、操作者は顕微鏡モジュール１０３の顕微鏡レンズ１０３１をインテリジェント通信装置２０の画像キャプチャモジュール２０１に対向して取り付けることができる。検出を行う時、操作者はインテリジェント通信装置２０に取り付けた顕微鏡モジュール１０３をカバー１０２の上方に貼り合わせる。顕微鏡レンズ１０３１はカバー１０２の厚さによって適切な距離を隔て、検体を顕微鏡レンズ１０３１の結像焦点面に位置させることで、顕微鏡レンズ１０３１と検体との間に最適な焦点距離を維持することができる。また、インテリジェント通信装置２０が試験サンプルＳの画像をキャプチャする時、検出部１０１２から投射された光源Ｌの光によって、画像キャプチャモジュール２０１は試験サンプルＳの画像を明確に撮影することができる。また、操作者はインテリジェント通信装置２０のスクリーンで撮影した画像を見ることができる。上述の如く、本実施例の携帯型顕微鏡装置１０は試験サンプルＳの画像の観察に応用できる以外に、結晶を有する試験サンプルＳ（例えば、澱粉）の観察に応用することもでき、サンプルが複屈折(Birefringence)の特性を有していれば、偏光観察をすることができる。また、光源モジュール１０５が紫外光源である場合には、携帯型顕微鏡装置１０は更に蛍光検出の技術分野に応用することができる。
【００３４】
図７を併せて参照されたい。図７は本発明の図１に示した実施例の第４概略図である。固定の撮影位置で試験サンプルＳの全体画像を取得することができない場合、図面に示すように、本体１０１とインテリジェント通信装置２０とを相対的に移動させることで、顕微鏡レンズ１０３１を介して試験サンプルＳの全体画像を間接的に撮影して取得することができる。
【００３５】
図８を併せて参照されたい。図８は本発明の図１に示した実施例の第５概略図である。図５と図８を同時に参照されたい。図面に示すように、本実施例の顕微鏡レンズ１０３１の拡大倍率は固定値であり、仮に、操作者がその他の拡大倍率で観察する必要がある場合、単一の顕微鏡レンズ１０３１では操作者のニーズを満足できないため、操作者はニーズに応じて顕微鏡モジュール１０３を交換し、これを適切な厚さ(ｄ１、ｄ２)を持つカバー（１０２'、１０２''）と併せて使用することによって、顕微鏡レンズ１０３１を最適化の焦点距離に維持することができる。
【００３６】
図９を参照されたい。図９は本発明のもう１つの実施例の概略図である。図面に示すように、本実施例の顕微鏡モジュール１０３は第１偏光フィルム１０３４及び第２偏光フィルム１０３５を有する。第１偏光フィルム１０３４は本体１０１の前記光源モジュール１０５と試験サンプルＳとの間（試験サンプルＳについては図４を参照し、光源モジュール１０５については図３を参照できる）に設置される。即ち、第１偏光フィルム１０３４は例えば本体１０１内に位置するように設置されることにより、光源モジュール１０５とスライドガラス１０４との間に設置される。第２偏光フィルム１０３５は試験サンプルＳと画像キャプチャモジュール２０１との間に設置され、図９では、第２偏光フィルム１０３５が顕微鏡モジュール１０３と画像キャプチャモジュール２０１との間に設置された場合を例とし、第２偏光フィルム１０３５は、例えば顕微鏡モジュール１０３の顕微鏡レンズ１０３１における画像キャプチャモジュール２０１に面する一側に設置される。勿論、その他の実施例において、第２偏光フィルム１０３５は、試験サンプルＳ（またはスライドガラス１０４）とカバー１０２との間に設置、またはカバー１０２と顕微鏡モジュール１０３との間に設置されることができるが、本発明はこれに限定されない。
【００３７】
ここにおいて、第１偏光フィルム１０３４及び第２偏光フィルム１０３５は直線偏光フィルムを例とし、二者はそれぞれ試験サンプルＳの両側に設置される。光源Ｌ（図５を合わせて参照）からの光は、本体１０１から放出された時、順に、第１偏光フィルム１０３４、試験サンプルＳ（またはスライドガラス１０４）、顕微鏡モジュール１０３及び第２偏光フィルム１０３５を通過してから、画像キャプチャモジュール２０１に到着し、結像する。第１偏光フィルム１０３４及び第２偏光フィルム１０３５はそれぞれ偏光軸を有するため、回転操作をすることによって、第１偏光フィルム１０３４及び第２偏光フィルム１０３５の偏光軸の相対位置を調整し、光源Ｌからの光が画像キャプチャモジュール２０１に入射する量を調整することで、異なる偏光角度の光線を試験サンプルＳに照射することができる。よって、第１偏光フィルム１０３４及び第２偏光フィルム１０３５を設置することによって、画像の解析度を高めることができる。第１偏光フィルム１０３４及び第２偏光フィルム１０３５の相対位置の調整方式に関して、本実施例の第２偏光フィルム１０３５は顕微鏡モジュール１０３に設置されるため、顕微鏡モジュール１０３をインテリジェント通信装置２０に固定し、カバー１０２をインテリジェント通信装置２０に対して回転させる時、図９に示すように、第１偏光フィルム１０３４と第２偏光フィルム１０３５は相対的に回転し、異なる偏光角度を有する光線を試験サンプルＳに照射させることができる。その他の実施例において、第２偏光フィルム１０３５を画像キャプチャモジュール２０１に直接設置することもできるが、本発明はこれに限定されない。
【００３８】
図１０を参照されたい。図１０は本発明の更にもう１つの実施例の概略図である。図６を併せて参照されたい。図面に示すように、本実施例の顕微鏡モジュール１０３は、インテリジェント通信装置２０に螺合することで、インテリジェント通信装置２０に緊密に固定されることができる。図面を続いて参照されたい。顕微鏡モジュール１０３の顕微鏡レンズ１０３１の周縁にはネジ部１０３３が形成されている。また、インテリジェント通信装置２０の画像キャプチャモジュール２０１にも相対ネジ部２０１１が形成されている。顕微鏡モジュール１０３と画像キャプチャモジュール２０１を組み立てる時には、主に、顕微鏡モジュール１０３のネジ部１０３３を画像キャプチャモジュール２０１の相対ネジ部２０１１に螺合することで、顕微鏡モジュール１０３をインテリジェント通信装置２０に緊密に固定できるようにする。
【００３９】
図１１を参照されたい。図１１は本発明の更にもう１つの実施例の概略図である。顕微鏡レンズ１０３１の拡大倍率が固定値である場合、顕微鏡レンズ１０３１の焦点距離も固定値であるため、操作者がその他の拡大倍率の顕微鏡レンズ１０３１と交換する場合、またはその他の原因によって、使用者が試験サンプルＳと顕微鏡レンズ１０３１との間の距離が不十分と発見した場合、顕微鏡レンズ１０３１と試験サンプルＳ（試験サンプルＳについては図４を参照されたい）またはカバー１０２との間の距離を調整しなければならない。本実施例において、顕微鏡モジュール１０３とカバー１０２との間には構造１０８が設置されている。図１１に示すように、本実施例の構造１０８はカバー構造であり、試験サンプルＳと顕微鏡レンズ１０３１との間の距離を増加、または減少させるために用いられる。具体的に言えば、構造１０８は顕微鏡モジュール１０３とカバー１０２との間に設置されており、且つ本実施例において、顕微鏡モジュール１０３における構造１０８に対向する側の表面にネジ部１０３３を設置するとともに、構造１０８における顕微鏡レンズ１０３１に近い側の表面に相対ネジ部１０８１を設置することで、顕微鏡モジュール１０３のネジ部１０３３と螺合される。即ち、本実施例の構造１０８と顕微鏡モジュール１０３はねじ締めの方式で固定され、勿論、その他の実施例において、係合、またはその他の方式によって固定することもできるが、本発明はこれに限定されない。本実施例において、ねじの設計によって、顕微鏡レンズ１０３１と試験サンプルＳとの間の距離をより細かく調整することで、使用者が異なる拡大倍率の顕微鏡レンズ１０３１と交換した時、依然として試験サンプルＳを顕微鏡レンズ１０３１の適切な焦点距離に位置させるようにすることができる。
【００４０】
図１２を参照されたい。図１２は本発明の更にもう１つの実施例の概略図である。図面に示すように、本実施例の携帯型顕微鏡装置１０は、主に、インテリジェント通信装置２０と併せて使用する。携帯型顕微鏡装置１０とインテリジェント通信装置２０との間は、主に、磁力によって固定される。二者をより好ましく固定させるために、本実施例において、本体１０１には固定クランプ３０が取り付けられている。本発明の携帯型顕微鏡装置を使用する時、固定クランプ３０はインテリジェント通信装置２０の両側を保持することで、本体１０１とインテリジェント通信装置２０を固定させる。また、本実施例においては、主に、保持する方式で固定するが、事前に説明すべきことは、例えば、片側のクランプ、磁気吸着、吸盤固定、または保持構造など、本体１０１をインテリジェント通信装置２０に固定できる構造はいずれも実施することができる点である。また、本発明はこれらに限定されるものではない。
【００４１】
図１３を参照されたい。図１３は本発明の更にもう１つの実施例の概略図である。図面に示すように、本実施例の携帯型顕微鏡装置１０のスライドガラス１０４はカバー１０２の一方の面に取り付けることができ、もしくはスライドガラス１０４をカバー１０２の前記中空部１０２１内に嵌め込むこともできる。または、カバー１０２を光透過性材料とすることで、カバー１０２自体をスライドガラス１０４として使用することもできる。しかし、本発明はこれに限定されず、いずれも実施することができる。図面を続いて参照されたい。本実施例のポイントは、スライドガラス１０４をカバー１０２の一方の面に取り付けることによって、使用する時に、操作者は、試験サンプルＳ（図１３に示されていない）をカバー１０２のスライドガラス１０４に置くと同時に、カバーガラスを覆うようにすれば、試験サンプルＳを観察することができる。よって、本実施例は、スライドガラス１０４をカバー１０２に直接取り付けることで、スライドガラス１０４の使用量を減少することができる。再度、図面を参照されたい。カバー１０２の他面には更にバンプ１０２３を取り付けることができ、カバー１０２を本体１０１に固定した時、カバー１０２のバンプ１０２３によりスイッチモジュール１０６を起動させることができる。
【００４２】
上記をまとめると、本発明の携帯型顕微鏡装置は、主に、本体、カバー及び顕微鏡モジュールから構成されるとともに、予め試験サンプルを本体のスライドガラスに設置してから、カバーを本体に固定することによって、試験前の準備を完成する。操作者は顕微鏡モジュールをインテリジェント通信装置に組み付けることで、顕微鏡モジュールの顕微鏡レンズをインテリジェント通信装置の画像キャプチャモジュールと位置を合わせることができる。試験作業を行う時、本発明の携帯型顕微鏡装置の顕微鏡モジュールをカバーに置くだけで、顕微鏡モジュールは本体の環状の前記磁性部に吸着されると同時に、顕微鏡モジュールと本体の二者は相対的に移動することができる。よって、本体、またはインテリジェント通信装置を移動するだけで、インテリジェント通信装置は試験サンプルの全体画像を撮影することができる。また、顕微鏡モジュールは、主に、カバーの相対組立部によって、スライドガラスとの間に適切な距離を隔てることによって、顕微鏡レンズに最良の焦点距離で試験サンプルを観察させることができる。仮に、顕微鏡レンズを交換する場合、相応のカバーに合わせて使用することで、顕微鏡レンズの焦点距離を最適化状態に維持することができる。したがって、本発明を実施することによって、インテリジェント通信装置と併せて使用し、ニーズに応じて顕微鏡レンズを交換することが可能であり、且つ使用中はニーズに応じて観察しようとするサンプルの位置を調整できる携帯型顕微鏡装置を提供するという目的を実現することができる。
【００４３】
上記実施例は本発明の好ましい実施例であって、本発明の実施範囲を限定するためのものではない。本発明の技術的思想および範囲から逸脱することなく、行われる等価の修正または変更は、いずれも別紙の特許請求の範囲に含まれる。
【産業上の利用可能性】
【００４４】
本発明は以上の如く構成したため、インテリジェント通信装置と併せて使用し、ニーズに応じて顕微鏡レンズと交換することが可能であり、且つ使用中はニーズに応じて観察しようとするサンプルの位置を調整できる携帯型顕微鏡装置を提供し得るものである。
【００４５】
上述をまとめると、本発明に係る携帯型顕微鏡装置は、「産業上の利用可能性」、「新規性」、「進歩性」などの特許要件を満たしているため、出願人は特許法の規定に基づいて、特許を出願する。
【符号の説明】
【００４６】
１０      携帯型顕微鏡装置
１０１    本体
１０１１  リミット溝    
１０１２  検出部
１０１３  組立部
１０１４  磁性部
１０１５  リミット部
１０１６  環状壁
１０１７  光拡散素子
１０２    カバー
１０２１  中空部
１０２２  相対組立部
１０２３  バンプ
１０３    顕微鏡モジュール
１０３１  顕微鏡レンズ
１０３２  相対磁性部
１０３３  ネジ部
１０３４  第１偏光フィルム
１０３５  第２偏光フィルム
１０４    スライドガラス
１０４１  カバーガラス
１０５    光源モジュール
１０６    スイッチモジュール
１０７    電源モジュール
１０８    構造
１０８１  相対ネジ部
２０      インテリジェント通信装置
２０１    画像キャプチャモジュール
２０１１  相対ネジ部
３０      固定クランプ
Ｌ        光源
Ｓ        試験サンプル
【図１】
0005993499.tif 000002
【図２】
0005993499.tif 000003
【図３】
0005993499.tif 000004
【図４】
0005993499.tif 000005
【図５】
0005993499.tif 000006
【図６】
0005993499.tif 000007
【図７】
0005993499.tif 000008
【図８】
0005993499.tif 000009
【図９】
0005993499.tif 000010
【図１０】
0005993499.tif 000011
【図１１】
0005993499.tif 000012
【図１２】
0005993499.tif 000013
【図１３】
0005993499.tif 000014